(57)【特許請求の範囲】
【請求項１】
外部配線が接続される端子台、ブザー、表示器、外部試験器が接続されるコネクタが設けられた本体と、該本体に開閉自在に軸支されたカバーとからなり、
前記本体は、当該本体の底板の上部及び両側に設けられた縦壁と、
前記縦壁の内側及び下部に前記縦壁より高く立設された防水壁と、
前記縦壁の上部両側に設けられ、ヒンジ穴及び該ヒンジ穴を中心に半径ｒの円弧状のガイド溝を有する一対の回動規制部とを備え、
前記カバーは、当該カバーの上部両内壁に設けられ、前記ヒンジ穴に回動自在に嵌入される一対のヒンジピン及び前記ガイド溝に摺動可能に嵌入される一対の可動ピンを備え、
前記ガイド溝に前記可動ピンが係止する少なくとも１個の係止凹部を設けたことを特徴とする火災報知設備の中継器。
【請求項２】
前記防水壁は、上辺は排水性を高めるために中央部が高い山形に形成されることを特徴とする請求項１記載の火災報知設備の中継器。
【発明の詳細な説明】
【０００１】
【発明の属する技術分野】
本発明は、火災感知器及び火災受信機と電気的に接続されて使用される火災報知設備の中継器に係り、さらに詳しくは、火災感知器からの信号を受けて火災受信機に火災の発生を報知すると共に、火災受信機からの警報信号を受けて自ら警報を発し、また、カバーを開いて内部のコネクタに外部試験器を電気的に接続して、この中継器に接続されている火災感知器の動作試験を外部試験器によって行うようにした火災報知設備の中継器に関するものである。
【０００２】
【従来の技術】
近時、個人住宅に火災感知器を含む火災報知設備を設ける場合が増加しており、屋内に設置された火災感知器は定期的に点検する必要がある。しかし、点検の際に居住者が不在のことがあり、また、一般的に点検者が屋内に立入ることは好まれない。そのため、例えば、特開平９−１６１１８９号公報に開示されているように、屋外から火災感知器の点検を行う発明が提案されている。
このような発明の実施にあたっては、例えば、電力やガスの消費量の検針の場合のように、屋外の壁面等に火災感知器の点検機能を備えた中継器の如き機器を設置し、この機器を用いて屋外から火災感知器を点検することが考えられる。
【０００３】
【発明が解決しようとする課題】
屋内に設置された火災感知器の点検に中継器を利用する場合、一般に中継器は、火災感知器及び火災受信機に接続される外部配線を接続する端子台、ブザー、表示灯及びこれらを制御する電子部品等が搭載されており、さらに、火災感知器と外部試験器とを接続するコネタクが搭載されている。
【０００４】
一方、このような中継器は、建物の外壁面やアパートなどの共通廊下の壁面等、雨水がかかり易い場所に設置されることが多い。
このようなことから、中継器、特にその筐体には次のような構造が要求される。
（１）筐体が小形であること。
（２）壁面等への取付けが容易であること。
（３）筐体が水密かつ排水が良好に形成され、内部に雨水等が侵入しないこと。
（４）屋内に設置された火災感知器の点検が容易であり、降雨時における点検中に内部に雨水が侵入しないこと。
【０００５】
本発明は、上記のような構造を備えた火災報知設備の中継器を得ることを目的としたものである。
【０００６】
【課題を解決するための手段】
（１）本発明に係る火災報知設備の中継器は、外部配線が接続される端子台、ブザー、表示器、外部試験器が接続されるコネクタが設けられた本体と、該本体に開閉自在に軸支されたカバーとからなり、前記本体は、当該本体の底板の上部及び両側に設けられた縦壁と、前記縦壁の内側及び下部に前記縦壁より高く立設された防水壁と、前記縦壁の上部両側に設けられ、ヒンジ穴及び該ヒンジ穴を中心に半径ｒの円弧状のガイド溝を有する一対の回動規制部とを備え、前記カバーは、当該カバーの上部両内壁に設けられ、前記ヒンジ穴に回動自在に嵌入される一対のヒンジピン及び前記ガイド溝に摺動可能に嵌入される一対の可動ピンを備え、前記ガイド溝に前記可動ピンが係止する少なくとも１個の係止凹部を設けたものである。
【０００７】
（２）上記（１）の防水壁は、上辺は排水性を高めるために中央部が高い山形に形成されるものである。
【００１０】
【発明の実施の形態】
図１は本発明に係る中継器の一実施形態のカバーを開いた状態を示す斜視図、図２はカバーを閉じた状態を示す斜視図、図３は図１の分解斜視図であり、本発明は、本体１と、本体１内に取付けられたプリント基板２１と、本体１に開閉自在に装着されたカバー３１とからなっている。
【００１１】
本体１は合成樹脂成形品からなり、図４に示すように、底板２の上部及び両側には縦壁３が設けられており、その内側及び下部には縦壁３より高い防水壁４が立設されている。そして、この防水壁４の上辺は排水性を高めるために中央部が高い山形に形成されており、下辺中央部には下面に係止爪６を有する係止片５が設けられている。７は縦壁３と防水壁４との間に形成された排水溝である。８はプリント基板２１の取付部で、９は左右一対のフック、１０はプリント基板２１の固定用のねじ穴である。１１ａは本体１を壁面等に固定するためのねじ挿通部、１１ｂは同じくねじ挿通用の長穴部、１２は外部配線の取込穴である。
【００１２】
１３は縦壁３の上端部に設けた一対のカバー３１の回動規制部で、図５（ａ）に示すように、ほぼ扇形状に形成されてその要（かなめ）の部分にはヒンジ穴１４が設けられており、外側面には、このヒンジ穴１４を中心として半径ｒの円弧状のガイド溝１５が設けられている。そして、このガイド溝１５の始端部より若干終端部側には係止凹部１６が設けられており、ガイド溝１５の底部は、図５（ｂ）に示すように、始端部から終端部になるにしたがって深くなるように傾斜面１７で形成され、その終端部は係止凹部１６の底部とほぼ同じ深さになっている。１８は本体１の背面に接着された例えば発泡体からなる防水シートである。なお、係止凹部１６は１個に限るものではなく、ガイド溝１５に複数個設けてもよい。
【００１３】
プリント基板２１において、２２は電源線、火災感知器からの信号線などの外部配線が接続される端子台、２３はブザー、２４は表示灯、２５は外部試験器が接続されるコネタク、２６は本体１のねじ挿通部１１ａに嵌合する位置決め穴である。なお、２７は絶縁紙である。
【００１４】
カバー３１は合成樹脂成形品からなり、天板３２と周壁３３とにより箱状に形成され、天板３２の内面には音響孔３５を有しプリント基板２１のブザー２３に嵌合する筒状部３４、及び表示灯２４に嵌合し、光が漏れないようにする遮光筒３６が設けられており、周壁３３の下壁には本体１の係止爪６に係止する係止穴３７が設けられている。なお、３８は本体１の係止片５をガイドするガイドリブである。
【００１５】
４１は周壁３３の両側壁の内面上端部に突設され、本体１のヒンジ穴１４に回動自在に嵌合する一対のヒンジピン、４２はヒンジピン４１から距離ｒ（この距離ｒは、本体１のヒンジ穴１４とガイド溝１５間の半径ｒに等しい）を隔てて突設されて本体１のガイド溝１５に嵌入する一対の可動ピンで、その先端部のガイド溝１５への侵入側及びその反対側には、図７に示すように、先端部に向って狭くなる傾斜面４３が形成されている。なお、可動ピン４２はガイド溝１５の始端部の深さより長く形成されている。また、ヒンジ穴１４への嵌入を容易にするため、ヒンジピン４１の先端部にも可動ピン４２と同様に傾斜面を設けてもよい。
【００１６】
次に、上記のように構成した中継器の組立手順の一例について説明する。なお、カバー３１の音響孔３５には防水手段が施されているものとする。
（１）本体１の背面に防水シート１８を接着する。
（２）本体１のプリント基板２１の取付部８に設けたフック９に、プリント基板２１の下部を差込み、上部に設けた位置決め穴２６をねじ挿通部１１ａに嵌合する。
（３）表示灯２４が露出するように絶縁紙２７を当接し、プリント基板２１と共にねじ２８により本体１に固定する。
【００１７】
（４）カバー３１の上端部に設けたヒンジピン４１を、側壁３３の弾性を利用して本体１の回動規制部１３に設けたヒンジ穴１４に、回動自在に嵌入する。
（５）ヒンジピン４１を軸にカバー３１を回動させ、本体１に被せる。このとき、可動ピン４２はガイド溝１５にその始端部から侵入してガイド溝１５に沿って摺動し、係止穴３７が本体１の係止爪６に係止してロックされる。
【００１８】
次に、回動規制部１３によるカバー３１の開閉作用につき、図８を参照して説明する。
先ず、ヒンジピン４１をヒンジ穴１４に嵌入した状態では、図８（ａ）に示すように、カバー３１は本体１の反対側においてほぼ水平に保持される。
また、カバー３１を約９０°回動すると、可動ピン４２が回動規制部１３の上縁部に当接し、図８（ｂ）に示すように、カバー３１は本体１に対してほぼ直角に保持される。
【００１９】
さらに、カバー３１を同方向に回動すると、可動ピン４２はガイド溝１５に侵入してガイド溝１５に沿って摺動し、係止凹部１６に嵌合して停止する。これにより、カバー３１は図８（ｃ）に示すように、本体１に対して角度θで開放した状態で保持される。実施例ではこの角度θを７０°としたが、係止凹部１６の位置を変えることにより適宜変更することができる。
【００２０】
さらに、カバー３１を同方向に回動すると、可動ピン４２はガイド溝１５の傾斜面１７に沿って摺動し、その終端部で停止する。このとき、カバー３１は図８（ｄ）に示すように、本体１に完全に嵌合した状態となり、ヒンジピン４１と可動ピン４２はほぼ同一水平線上に位置する。
【００２１】
カバー３１を開放するときは、上述と逆の順序により、本体１に対して角度θだけ開放した状態、ほぼ９０°開放した状態及び本体１の反対側にほぼ水平に開放した状態にすることができる。
なお、カバー３１の開閉にあたっては、可動ピン４２の先端部には傾斜面４３が設けられているので、ガイド溝１５への侵入離脱、係止凹部１６への嵌入離脱を小さな力でスムーズに行うことができる。
【００２２】
次に、図９により本発明に係る中継器の設置場所（本例では壁面４５）への取付け手順の一例について説明する。先ず、例えばコインによりカバー３１の係止穴３７から本体１の係止爪６を押圧し、ロックを解除してカバー３１を開放する。このとき、可動ピン４２はガイド溝１５に沿って摺動し、係止凹部１６に嵌入して停止する。さらにカバー３１を開放すると、可動ピン４２がガイド溝１５から離脱し、カバー３１の自重により回動規制部１３の上縁部に当って停止し、カバー３１は本体１に対してほぼ９０°開放された状態で保持される（図８（ｂ）の状態）。なお、この状態では、図９に破線で示すように、カバー３１はその隅角部が壁面４５に当接するまで、実線の位置からさらに開放することができる。
【００２３】
そして、壁面４５から引出された外部配線（図示せず）を、本体１の配線取込穴１２から取出し、端子台２２に接続する。
ついで、壁面４５に設けた配線引出穴の位置に本体１の配線取込穴１２をあてがい、本体１のねじ挿通部１１ａ及び長穴部１１ｂにそれぞれねじ２９を挿通して壁面４５に螺入し、固定する。最後にカバー３１を閉じて係止穴３７を係止爪６に係止し、ロックする。
【００２４】
次に、図１０により上記により屋外に設置した中継器により、屋内に設置した火災感知器の点検の一例について説明する。
（１）カバー３１を停止する位置（可動ピン４２が係止凹部１６に嵌入）まで開放する。
（２）中継器内に収容したプリント基板２１に搭載したコネクタ２５に、外部試験器のコネクタ３０を接続する。
【００２５】
（３）外部試験器から火災感知器に遠隔試験命令を出力する。
（４）上記遠隔試験命令に基いて火災感知器が動作試験を行い、その動作信号（発報信号）が中継器を介して火災受信機（図示せず）に送信される。
【００２６】
（５）火災受信機は、遠隔試験を行った火災感知器の発報表示（火災表示）を行うと共に、中継器に警報信号を送る。
（６）中継器は、火災受信機からの警報信号を受けて、表示灯２４で発報表示をすると共に、ブザー２３により警報を発する。
（７）試験の結果異常がなかったときは、コネタク３０を抜取り、カバー３１を閉じて係止穴３７を係止爪６に係止し、ロックする。
【００２７】
本発明に係る中継器は、上記のように屋内に設置された火災感知器を屋外で点検することができるので、きわめて便利である。また、本体１の背面には防水シート１８を接着したので、壁面４５に沿って流下する雨水が本体１内に侵入するおそれがない。さらに、風雨等によってケース３１の上部や正面にかかった雨水も防水壁４によって阻止され、プリント基板の取付部８に侵入することがなく、電気的障害をおこすおそれがない。
【００２８】
さらに、回動規制部１３によりカバー３１を複数段に開放できるようにしたので、中継器の所定位置への取付け及び火災感知器の点検作業がきわめて容易である。また、若し雨中で火災感知器の点検を行うような場合においても、カバー３１を本体１に対して９０°以下の角度（例えば、７０°）で開放して作業を行うようにしたので、カバー３１が本体１の傘となり、内部には雨水がほとんど侵入しない。
【００２９】
【発明の効果】
本発明に係る火災報知設備の中継器は、外部配線が接続される端子台、ブザー、表示器、外部試験器が接続されるコネクタが設けられた本体と、この本体に開閉自在に軸支されたカバーとからなり、前記本体は、当該本体の底板の上部及び両側に設けられた縦壁と、
前記縦壁の内側及び下部に前記縦壁より高く立設された防水壁と、前記縦壁の上部両側に設けられ、ヒンジ穴及び該ヒンジ穴を中心に半径ｒの円弧状のガイド溝を有する一対の回動規制部とを備え、前記カバーは、当該カバーの上部両内壁に設けられ、前記ヒンジ穴に回動自在に嵌入される一対のヒンジピン及び前記ガイド溝に摺動可能に嵌入される一対の可動ピンを備え、前記ガイド溝に前記可動ピンが係止する少なくとも１個の係止凹部を設けたので、中継器の設置場所への取付け及び取付後の屋内に設置された火災感知器の点検作業がきわめて容易である。また、屋外に設置しても内部への雨水の侵入を防止することができる。
【図面の簡単な説明】
【図１】本発明の一実施形態のカバーを開放した状態を示す斜視図である。
【図２】図１のカバーを閉じた状態を示す斜視図である。
【図３】図１の分解斜視図である。
【図４】図１の本体の平面図及び側面図である。
【図５】図４の回動規制部の拡大図及びそのＡ−Ａ断面図である。
【図６】図１のケースの下面図及びそのＢ−Ｂ断面図である。
【図７】図６の可動ピンの拡大図である。
【図８】図１の回動規制部とカバーとの作用説明図である。
【図９】本発明に係る中継器の施工時の状態を示す説明図である。
【図１０】本発明に係る中継器の火災感知器の点検時の状態を示す説明図である。
【符号の説明】
１  本体
８  プリント基板の取付部
１３  回動規制部
１４  ヒンジ穴
１５  ガイド溝
１６  係止凹部
１７  傾斜面
２１  プリント基板
２２  端子台
２３  ブザー
２４  表示灯
２５  コネクタ
３１  カバー
４１  ヒンジピン
４２  可動ピン
【図１】
0003837904.tif 000002
【図２】
0003837904.tif 000003
【図３】
0003837904.tif 000004
【図４】
0003837904.tif 000005
【図５】
0003837904.tif 000006
【図６】
0003837904.tif 000007
【図７】
0003837904.tif 000008
【図８】
0003837904.tif 000009
【図９】
0003837904.tif 000010
【図１０】
0003837904.tif 000011